(57)【要約】  【課題】本発明は、ノートパソコンの折り畳みテーブルを提供する。  【解決手段】本発明の一実施形態に係るノートパソコンの折り畳みテーブルは、テーブルプレート（１）と、横ばり管（４）と、横ばり管（４）の左右端部にそれぞれ設置する１対の折り畳み式ホルダー（２、３）とを備える。横ばり管（４）は端部にそれぞれ設ける１対のノブによってテーブルプレート（１）の上にある１対の耳と同軸で動的に連結し、テーブルプレート（１）が横ばり管（４）の軸方向に回って角度を調整できる。折り畳み式ホルダー（２、３）は折り畳み式モジュールと、伸縮式モジュールと、底管とを備える。
2010524100.tif 000002
【特許請求の範囲】
【請求項１】
ノートパソコンの折り畳みテーブルであって、
テーブルプレート（１）と、
横ばり管（４）と、
前記横ばり管（４）の左右端部にそれぞれ設置する１対の折り畳み式ホルダー（２、３）とを備え、
前記横ばり管（４）が端部にそれぞれ設ける１対のノブによって前記テーブルプレート（１）の上にある１対の耳と同軸で動的に連結し、前記テーブルプレート（１）が前記横ばり管（４）の軸方向に回って角度を調整でき、
前記折り畳み式ホルダーはヒンジ接合されている上折り畳み棒（１１）と下折り畳み棒（１２）とがある折り畳み式モジュールと、内套管（１７）と外套管（１６）とがあり、前記内套管（１７）が外套管（１６）の中に滑ることあるいは定位し被せられることが可能である伸縮式モジュールと、底管とを備え、
前記上折り畳み棒（１１）の上端が伸縮式モジュールの上端と、前記下折り畳み棒（１２）の下端が前記底管（９）とヒンジ接合し、
前記伸縮式モジュールの上端部にトップフックジョイント（７）を設けて、横ばり管（４）の左右端部に取り付ける角ジョイント（６）とヒンジ接合し、かつ、互いにロッキングでき、
少なくとも一つの前記角ジョイント（６）が前記横ばり管と動的な連結し、
前記折り畳み式ホルダーの上折り畳み棒（１１）と下折り畳み棒（１２）とが剛性連結を形成するにより、伸縮式モジュールの内套管（１７）あるいは外套管（１６）の相対的な長さを調節し、底管を支持部品として支持高さの調節可能なホルダーが形成されることを特徴とするノートパソコンの折り畳みテーブル。
【請求項２】
前記折り畳み式モジュールが、前記上折り畳み棒（１１）と下折り畳み棒（１２）の間にヒンジ接合されるヒンジブロック（１５）と、前記上折り畳み棒（１１）と下折り畳み棒（１２）とヒンジブロック（１５）との間に動的に被せられ、前記上折り畳み棒（１１）と下折り畳み棒（１２）とが剛性連結を形成する滑りカバー（１３）とをさらに含むことを特徴とする請求項１に記載のノートパソコンの折り畳みテーブル。
【請求項３】
前記角ジョイント（６）にはトップフックジョイント（７）とヒンジ接合するアーチ形軸あるいは円形軸を設け、前記伸縮式モジュールを弾性ひずみでロッキングするＣ形溝があり、前記トップフックジョイント（７）が当該Ｃ形溝と締り嵌めをすることを特徴とする請求項１あるいは請求項２に記載のノートパソコンの折り畳みテーブル。
【請求項４】
前記折り畳み式ホルダーが、前記ヒンジブロック（１５）と下折り畳み棒（１２）の間にヒンジ接合する少なくとも一つの中間折り畳み棒（４７）をさらい含むであることを特徴とする請求項１あるいは請求項２に記載のノートパソコンの折り畳みテーブル。
【請求項５】
前記折り畳み式ホルダーが、前記伸縮式モジュールの上端部と固定連結する回転ジョイント（２１）と、前記トップフックジョイント（７）と固定連結するストッパ支持軸（３７）と、端バネ（３８）を備え、前記ストッパ支持軸（３７）が前記端バネ（３８）で前記回転ジョイント（２１）と動的に連結し、前記回転ジョイント（２１）が前記上折り畳み棒（１１）の上端部とヒンジ接合したり、トップフックジョイント（７）と同軸であったり、かつ、前記トップフックジョイント（７）に軸方向に沿う弾性移動と当該軸を中心に周る方向に回転定位することを特徴とする請求項１に記載のノートパソコンの折り畳みテーブル。
【請求項６】
前記テーブルプレートの側縁に動的に連結するマウス板モジュールをさらに含み、当該マウス板は、折り畳んだ状態において前記テーブルプレートに重り、使用中において前記テーブルプレートの側縁にあり、マウスを使用ための平面がテーブルプレートと同じ平面あるいは角度のある平面であることを特徴とする請求項１あるいは請求項２に記載のノートパソコンの折り畳みテーブル。
【請求項７】
前記マウス板モジュールは、箱と、連接棒と、連接棒ロッキングハンドルと、連接棒調節スライドと、自在継ぎ手と、ロッカーアームと、ロッカーアームロッキングノブを備え、前記連接棒の一端が前記箱の側面と動的に連結し、他端が前記連接棒ロッキングハンドルで前記テーブルプレートの側面に取り付ける連接棒調節スライドに動的に連結し、前記ロッカーアームの一端が前記ロッカーアームのロッキングノブで前記テーブルプレートの側面に、他端が前記自在継ぎ手で前記箱の側面に動的に連結することを特徴とする請求項６に記載のノートパソコンの折り畳みテーブル。
【請求項８】
前記テーブルプレートの裏面に取り付ける伸縮式ホルダーをさらに備え、当該伸縮式ホルダーは前記テーブルプレートの裏面に固定される固定台座と、前記固定台座とヒンジ接合するカバーホルダーと、支持ブラケットを有し、前記支持ブラケットにはガイドトラックあるいはガイド溝を設置し、前記カバーホルダーには支持ブラケットと合うガイド溝あるいはガイドトラックを設置し、前記カバーホルダーに設置するロッキング部品が、前記カバーホルダーと前記支持ブラケットとの相対的な位置をロッキングするように、前記支持ブラケットに設置するストッパ溝を係合することを特徴とする請求項１あるいは請求項２に記載のノートパソコンの折り畳みテーブル。
【請求項９】
前記テーブルプレートの裏面に取り付ける伸縮式ホルダーをさらに備え、当該伸縮式ホルダーは前記テーブルプレートの裏面に固定される固定台座と、前記固定台座とヒンジ接合するカバーホルダーと、支持ブラケットを有し、前記支持ブラケットにはピンあるいはガイド溝を設置し、前記カバーホルダーには支持ブラケットと合うガイド溝あるいはピンを設置し、前記カバーホルダーに設置するロッキング部品が、前記カバーホルダーと前記支持ブラケットとの相対的な位置をロッキングするように、前記支持ブラケットに設置するストッパ溝を係合することを特徴とする請求項１あるいは請求項２に記載のノートパソコンの折り畳みテーブル。
【請求項１０】
前記縮式ホルダーは側ホルダーをさらに備え、側ホルダーの上端部が前記カバーホルダーの上端部とヒンジ接合し、下端部が使用中の状態において前記支持ブラケットと接し、前記支持ブラケットと、カバーホルダーと共に三角形を構成することを特徴とする請求項９に記載のノートパソコンの折り畳みテーブル。
【請求項１１】
前記テーブルプレートの縁に動的に取り付け、使用中の状態において、テーブルプレートに対して自在に調整できる照明モジュールをさらに備えることを特徴とする請求項１に記載のノートパソコンの折り畳みテーブル。
【請求項１２】
前記テーブルプレートの縁に動的に取り付け、使用中の状態において、テーブルプレートに対して自在に調整でき、使用していない状態において、前記テーブルプレートの裏面に重なるラッパモジュールをさらに備えることを特徴とする請求項１に記載のノートパソコンの折り畳みテーブル。
【請求項１３】
前記テーブルプレートの裏面に取り付ける電池箱と、前記テーブルプレートの縁に設置するＵＳＢインターフェイスをさらに備えることを特徴とする請求項１１あるいは請求項１２に記載のノートパソコンの折り畳みテーブル。
【請求項１４】
前記テーブルプレートの裏面に取り付ける電池箱と、放熱ファンをさらに備え、前記テーブルプレートが前記放熱ファンと接触する面に放熱穴を設けることを特徴とする請求項１あるいは請求項２に記載のノートパソコンの折り畳みテーブル。
【発明の詳細な説明】
【技術分野】
【０００１】
本発明はテーブルの構造に関し、特にノートパソコンに使用できる折り畳みテーブルに関する。
【背景技術】
【０００２】
人間は一生の時間の三分の一をベッドで過ごし、多くの人はベッドで考えたり、本を読んだり、勉強したり或は仕事をしたりしている。ノートパソコン及びその周辺機器の普及にしたがって、人々はベッドでノートパソコンを使うことを好むようになった。しかし、適当なツールを使用しなければ、ベッドで本を読むことや、ノートパソコンを使うことなどが不便であり、体に損傷を引き起こしやすい。例えば、目の疲れ、斜視、肩関節周囲炎、頸椎の疾患などである。また、病気になった人、年配の人については、ベッドで本を読んだり、食事をしたりしなければならず、補助的なツールがなければ、非常に不便、不適、不衛生になるはずである。
【０００３】
これに対して、現在の市場で何種類かのノートパソコンテーブルが現れたが、依然として以下の欠点が指摘できる。
【０００４】
１．体積が大きく、使いにくく、不軽便で、折り畳む程度に限りがあって、携帯しにくい。また、使いやすいノートパソコンの補助的なツールとして普通のテーブルの上で使うことができない。折り畳む程度に限りがあるので、ベッドとテーブルの上の両方でノートパソコンを使うことができない。また、ノートパソコン用のテーブル製品と現在の市場で多く売られているノートパソコン放熱台との違う製品の機能があわせて考えられていない。現在の製品では、テーブルの上を広くしないと、マウスを使う面積がないが、この平面とノートパソコンを置く平面とを同時に使用すると、通常は傾斜になり、手を放せば、マウスが下に滑り、不便である。現在のマウス板をつけた製品は普通大きく、このマウス板をつけても、体積が小さく、使いやすいという矛盾を解決する方法は長期間解決できていない。完全に折り畳めず、体積も縮小できず、前後移動、マウスを置く平面の角度と位置の調整が難しい。
【０００５】
デスクトップの高さと角度を調整したり、折り畳んだりする時、テーブルの左、右の脚の位置定位が正確にできないので、テーブルの脚が傾斜になり、使用する際、簡単、便利ではなく、面倒、不便だと感じられる。
【０００６】
ある報道によると、ノートパソコンを使用しているとき、過熱のため火事が起こることもしばしばあり、ノートパソコンの放熱問題はすでに人々の注目を集めている。現在の関連製品は、まだノートパソコンの放熱補助装置及び本を読むための照明灯、スピーカー、カメラ、マイク、ＵＳＢポート、外接電源及びノートパソコン自体の電源消耗を減少できる付加電源装置が設置されておらず、十分にノートパソコンの付帯機能を利用できない。
【０００７】
現在の製品では使用者の腕が疲れやすいことも考慮していないし、ノートパソコンによく使うＵＳＢメモリ、データライン、外付けハードディスク、緊急起動光ディスク、サインペンなどを隠す空間がない。実は、これは大きな欠点で、仕事上、事故を起こしたり、仕障をきたすことがよくある。
【発明の概要】
【発明が解決しようとする課題】
【０００８】
本発明は、まず、構造が合理的で、きちんと整っていて、より軽便で、体積が小さいノートパソコンの折り畳みテーブルを提供し、また補助的な機能をより完備したノートパソコンの折り畳みテーブルを提供することを目的とする。
【課題を解決するための手段】
【０００９】
本発明は、前記の目的を実現するため、ノートパソコンの折り畳みテーブルであって、テーブルプレートと横ばり管と前記横ばり管の左右端部にそれぞれ設置する１対の折り畳み式ホルダーとを備え、前記横ばり管が端部にそれぞれ設ける１対のノブによって前記テーブルプレートの上にある１対の耳と同軸で動的に連結し、前記テーブルプレートが前記横ばり管の軸方向に回って角度を調節でき、前記折り畳み式ホルダーはヒンジ接合されている上折り畳み棒と下折り畳み棒とがある折り畳み式モジュールと、内套管と外套管とがあり、前記内套管が外套管の中に滑ることあるいは定位し被せられることが可能である伸縮式モジュールと、底管とを備え、前記上折り畳み棒の上端が伸縮式モジュールの上端と、前記下折り畳み棒の下端が前記底管とヒンジ接合し、前記伸縮モジュールの上端部にトップフックジョイントを設けて、横ばり管の左右端部に取り付ける角ジョイントとヒンジ接合し、かつ、互いにロッキングでき、少なくとも一つの前記角ジョイントが前記横ばり管と動的な連結を使用し、前記折り畳み式ホルダーの上折り畳み棒と下折り畳み棒とが剛性連結を形成することにより、伸縮式モジュールの内套管あるいは外套管の相対的な長さを調節し、底管を支持部として支持高さの調整可能であるホルダーが形成される。
【００１０】
前記ノートパソコンの折り畳みテーブルは、折り畳み式モジュールが前記上折り畳み棒と下折り畳み棒の間にヒンジ接合されるヒンジブロックと、前記上折り畳み棒と下折り畳み棒とヒンジブロックとの間に動的に被せられ、前記上折り畳み棒と下折り畳み棒とが剛性連結を形成する滑りカバーとを備える。
【００１１】
前記ノートパソコンの折り畳みテーブルは、前記角ジョイントにおいてトップフックジョイントとヒンジ接合するアーチ形軸あるいは円形軸を設け、前記伸縮式モジュールを弾性ひずみでロッキングするＣ形溝があり、前記トップフックジョイントが当該Ｃ形溝と締り嵌めをする。
【００１２】
アーチ形軸あるいは円形軸を前記角ジョイントに設け、前記角ジョイントが弾性ひずみで前記伸縮式モジュールをロッキングするＣ形溝があり、当該Ｃ形溝と締り嵌めをする前記トップフックジョイントとヒンジ接合する。
【００１３】
前記ノートパソコンの折り畳みテーブルは、前記折り畳み式ホルダーが前記ヒンジブロックと下折り畳み棒の間にヒンジ接合する少なくとも一つの中間折り畳み棒も備える。
【００１４】
前記ノートパソコンの折り畳みテーブルは、前記伸縮式モジュールの上端部と固定連結する回転ジョイントと、前記トップフックジョイントと固定連結するストッパ支持軸と、端バネを備える前記折り畳み式ホルダーにおいて、前記端バネで前記ストッパ支持軸と前記回転ジョイントとを動的に連結し、前記回転ジョイントが前記上折り畳み棒の上端部とヒンジ接合したり、トップフックジョイントと同軸であったり、かつ、前記トップフックジョイントに軸方向に沿う弾性移動と当該軸を中心に周る方向に回転定位することを実現する。
【００１５】
前記ノートパソコンの折り畳みテーブルは、前記テーブルプレートの側縁に動的に連結する、折り畳んだ状態においては前記テーブルプレートに重なり、使用中においては前記テーブルプレートの側縁にあり、マウスを使用ための平面がテーブルプレートと同じ平面あるいは角度のある平面であるマウス板モジュールを更に備える。
【００１６】
前記マウス板モジュールが、箱と、連接棒と、連接棒ロックハンドルと、連接棒調節スライドと、自在継ぎ手と、ロッカーアームと、ロッカーアームのロッキングノブを備え、前記連接棒の一端が前記箱の側面と動的に連結し、他端が前記連接棒ロックハンドルで前記テーブルプレートの側面に取り付ける連接棒調節スライドに動的に連結し、前記ロッカーアームの一端が前記ロッカーアームのロックノブで前記テーブルプレートの側面に、他端が前記自在継ぎ手で前記箱の側面に動的に連結する。
【００１７】
前記ノートパソコンの折り畳みテーブルは、前記テーブルプレートの裏面に取り付ける伸縮式ホルダーをさらに備え、前記テーブルプレートの裏面に固定される固定台と、ガイドトラックあるいはガイド溝を設ける支持ブラケットと、前記の固定台とヒンジ接合し、前記支持ブラケットのガイドトラックあるいはガイド溝と合うガイド溝あるいはガイドトラックを設置するカバーホルダーを有する伸縮式ホルダーにおいて、前記カバーホルダーに設置するロッキングと、前記支持ブラケットに設置するストッパ溝とを係合し、前記カバーホルダーと支持ブラケットの相対的な位置をロッキングする。
【００１８】
前記ノートパソコンの折り畳みテーブルは、前記テーブルプレートの裏面に取り付ける伸縮式ホルダーをさらに備え、前記テーブルプレートの裏面に固定される固定台座と、ピンあるいはガイド溝を設ける支持ブラケットと、前記の固定台座とヒンジ接合し、前記支持ブラケットのピンあるいはガイド溝と合うガイド溝あるいはピンを設置するカバーホルダーを有する伸縮式ホルダーにおいて、前記カバーホルダーに設置するロッキングと、前記支持ブラケットに設置するストッパ溝とを係合し、前記カバーホルダーと支持ブラケットの相対的な位置をロッキングする。前記伸縮式ホルダーは、側ホルダーを備え、その上端部が前記カバーホルダーの上端部とヒンジ接合し、使用中の状態において、その下端部が前記支持ブラケットと接し、前記支持ブラケットと、カバーホルダーと共に三角形を構成する。
【００１９】
前記ノートパソコンの折り畳みテーブルは、前記テーブルプレートの縁に動的に取り付け、使用中の状態において、テーブルプレートに対して自在に調整できる照明モジュールを、前記テーブルプレートの縁に動的に取り付け、使用中の状態において、テーブルプレートに対して自在に調整でき、使用していない状態において、前記テーブルプレートの裏面に畳めるスピーカーを、前記テーブルプレートの裏面に取り付ける電池箱を、前記テーブルプレートの縁に設置するＵＳＢインターフェイスを、前記テーブルプレートの裏面に取り付ける放熱ファンを備え、前記テーブルプレートが前記放熱ファンと接触する面に放熱穴を設ける。
【発明の効果】
【００２０】
以上の構造を使用するため、本発明の製品は、折り畳む構造が合理的で、折り畳む程度が高く、折り畳んだ体積が小さくて便利で、ノートパソコンバッグに入れて携帯しやすい。折り畳み式ホルダーには二つの辺があり、一つは折り畳みが可能で、もう一つは伸縮が可能であるため、テーブルプレートの高さと角度ともに調整可能で、より自在に使用することができる。
【００２１】
本発明は、テーブルプレートの表面と裏面を利用して、折り畳み様式を用いて、スピーカー、カメラ、照明灯とマウス板等を隠し、折り畳んだ状態の全体的な見た目がきちんと整って、簡潔で、軽便であって、より多くのより整った実用的な補助的機能を提供し、より便利であって、部品の追加、省略、組合せと異なる折り畳み様式を通して、変化に富み、各種の機能を選択することができる。
【００２２】
本発明の製品は、テーブルプレートに設ける放熱穴および裏面に取り付ける放熱ファンによって、ノートパソコンの放熱に役立ち、ベッドでノートパソコンを使用する時の過熱による事故を防止し、ノートパソコン以外の自身の電池を設けるため、放熱ファンだけでなく、スピーカー、照明灯も駆動でき、ＵＳＢインターフェイスもあるため、ノートパソコンを使用しても使用しなくてもＭＰ３、ＭＰ４等のマルチメディアプレーヤー等を正常に使用でき、複数の機能を一つのテーブルに集める目的を果たす。
【００２３】
本発明の製品は、伸縮式ホルダーがあり、デスクでノートパソコンを使用する時、ノートパソコンの底面とデスクとの角度およびスクリーンの高さを調整できるため、ノートパソコンの使用が快適にできる。
【００２４】
本発明の製品は、ハンドレストがあり、使用者の手部を支え、人と機械との関係をよく改善し、手部の疲労を防止したり、使用者の手部の傷みを和らげたりでき、使用者の健康により有益である。
【００２５】
本発明の製品は、照明灯があり、多角度、狭い範囲の照明を提供することが可能で、本を読んだり、ノートパソコンを使用したりしている時の照明の問題を解決し、公共の照明が要らず、他人への影響を避け、照明効果も保証できるため、製品の快適性と実用性を向上している。
【００２６】
マウス板は箱で構成し、展開し、折り畳んでテーブルプレートの表面に伏せられ、その内部にシステムの緊急起動ディスク、データライン等、その他の小さい付属品、例えば、ＵＳＢメモリ、重要な光ディスク等が収納できる。外表面はマウスを使用する面になって、ベッドでノートパソコンを使用する習慣があるが、またマウスも使用したいという人に対して、本発明の体積と折り畳む厚さを増加しなくてよいというのは便利である。
【図面の簡単な説明】
【００２７】
【図１】本発明の第一実施形態に係る折り畳みテーブルを完全に折り畳んだ斜視図である。
【図２】第一実施形態に係る折り畳みテーブルを折り畳んだ後、広げるときのステップ１の斜視図である。
【図３】第一実施形態に係る折り畳みテーブルを折り畳んだ後、広げるときのステップ２の斜視図である。
【図４】第一実施形態に係る折り畳みテーブルを折り畳んだ後、広げるときのステップ３の斜視図である。
【図５】第一実施形態に係る折り畳みテーブルを折り畳んだ後、広げるときのステップ４の斜視図である。
【図６】第一実施形態に係る折り畳みテーブルを折り畳んだ後、完全に広げた斜視図である。
【図７】第一実施形態に係る折り畳みテーブルを折り畳んだ後、完全に広げた側面図である。
【図８】第一実施形態に係る折り畳みテーブルを折り畳んだ後、半分に広げた側面図である。
【図９】第一実施形態の折り畳み式ホルダーを拡大した斜視図である。
【図１０】第一実施形態に係る折り畳みテーブルを折り畳んだ斜視図である。
【図１１】第一実施形態の角ジョイント６の斜視断面図である。
【図１２】第一実施形態の角ジョイント６の局部の斜視断面図である。
【図１３】第一実施形態に係る折り畳みテーブルの各部品の組み立てを拡大した図である。
【図１４】図９のＴ部分を拡大した図である。
【図１５】図３のＫ部分を拡大した図である。
【図１６】第二実施形態に係る折り畳みテーブルの局部の連結関係の断面図である。
【図１７】第三実施形態に係る折り畳みテーブルの完全に折り畳んだ斜視図である。
【図１８】第四実施形態に係る折り畳みテーブルの折り畳み方式の斜視図である。
【図１９】第四実施形態に係る折り畳み式ホルダーの斜視図である。
【図２０】図１８の中の折り畳み式ホルダーを拡大した斜視図である。
【図２１】横ばり管４の断面図である。
【図２２】第五実施形態に係る折り畳みテーブルの側面図である。
【図２３】第五実施形態の斜視図である。
【図２４】第五実施形態の斜視図である。
【図２５】第五実施形態に係る折り畳みテーブルのマウス板モジュールの蓋板を開く過程の斜視図である。
【図２６】第五実施形態に係る折り畳みテーブルのマウス板モジュールの蓋板を開く過程の斜視図である。
【図２７】第五実施形態に係る折り畳みテーブルのマウス板モジュールの蓋板を開く過程の斜視図である。
【図２８】第五実施形態に係る折り畳みテーブルのマウス板モジュールの蓋板を開く過程の斜視図である。
【図２９】第五実施形態に係る折り畳みテーブルのマウス板モジュールの蓋板を開く過程の斜視図である。
【図３０】第五実施形態に係る折り畳みテーブルのマウス板モジュールの蓋板を開く過程の斜視図である。
【図３１】第五実施形態に係る折り畳みテーブルのマウス板モジュールの蓋板を開く過程の斜視図である。
【図３２】第五実施形態に係る折り畳みテーブルの伸縮式ホルダーが低い位置で支持する斜視図である。
【図３３】第五実施形態に係る折り畳みテーブルの伸縮式ホルダーが低い位置で支持する斜視図である。
【図３４】第五実施形態に係る折り畳みテーブルの伸縮式ホルダーが低い位置で支持する斜視図である。
【図３５】Ｔ形のホルダーが高い位置で支持する斜視図である。
【図３６】Ｔ形のホルダーが高い位置で支持する斜視図である。
【図３７】Ｔ形のホルダーが高い位置で支持する斜視図である。
【図３８】Ｔ形のホルダーが最も高い位置で支持する斜視図である。
【図３９】Ｔ形のホルダーが最も高い位置で支持する斜視図である。
【図４０】図２６のＺ部分を拡大した図である。
【図４１】スピーカー、照明灯、マウス板モジュール等を組み合わせた斜視図である。
【図４２】伸縮式ホルダーの断面図である。
【図４３】伸縮式ホルダーを使用する状態の斜視図である。
【図４４】伸縮式ホルダーを使用する状態の斜視図である。
【図４５】伸縮式ホルダーを使用する状態の斜視図である。
【図４６】伸縮式ホルダーを使用する状態の斜視図である。
【図４７】広げた状態の、スピーカー、照明灯等の状態の斜視図である。
【図４８】広げた状態の、スピーカー、照明灯等の状態の斜視図である。
【図４９】広げた状態の、スピーカー、照明灯等の状態の斜視図である。
【図５０】スピーカーモジュールの局部を拡大した斜視図である。
【図５１】スピーカーモジュールの局部を拡大した斜視図である。
【図５２】スピーカーモジュールの局部を拡大した斜視図である。
【図５３】マウス板とテーブルプレートの相対的な位置関係の斜視図である。
【図５４】図５３のＱ部分の局部を拡大図である。
【図５５】図３７のＰ部分の局部を拡大図である。
【図５６】照明灯モジュールの構成の見取り図である。
【図５７】図５６のＹ部分の局部を拡大図である。
【図５８】第六実施形態に係る折り畳みテーブルの折り畳み式ホルダーと角ジョイントの連結構成の見取り図である。
【図５９】図５８のＲ部分の局部を拡大図である。
【図６０】回転ジョイントの局部を拡大図である。
【発明を実施するための形態】
【００２８】
以下、実施例と図面を参照して、さらに本発明を詳細に説明する。
【００２９】
第一実施形態
【００３０】
図１、図２に示すように、本実施形態のノートパソコンの折り畳みテーブルはテーブルプレート１、横ばり管４と角ジョイント６、それぞれに横ばり管４の左右端部と連結する同様な構造である折り畳み式ホルダー２と３を備える。テーブルプレート１の中にＵＳＢインターフェイスと電池箱３０、照明灯３１を取り付ける。左右に設置する耳５１はテーブルプレート１に固定接合し、横ばり管４の両端部と同軸で連結し、横ばり管４の両端部に設置するノブ１８が横ばり管４をロッキングできる。図２、図３、図７と図１１に示すように、角ジョイント６が横ばり管４の両端部に取り付けられて、トップフックジョイント７を設置する折り畳み式ホルダー２が角ジョイント６内に設置する半円形ヒンジ軸８の周りを外に回転して広げて、逆に、裏に折り畳むことが可能である。
【００３１】
図２、図３、図４、図５、図６、図７、図８と図９は、本例の折り畳み式ホルダーの構造を例示し、折り畳み式ホルダー２を例として、ヒンジ接合されている上折り畳み棒１１と下折り畳み棒１２とがある折り畳み式モジュールと、内套管１７と外套管１６とがあり、内套管１７が外套管１６の中に滑ることあるいは定位し被せられることが可能である伸縮式モジュールと、底管とを備える。上折り畳み棒１１の上端が伸縮式モジュール上端と、下折り畳み棒１２の下端が底管９とヒンジ接合する。伸縮モジュールの上端部にトップフックジョイント７を設けて、横ばり管４の左右端部に取り付ける角ジョイント６とヒンジ接合し、互いにロッキングできる。２つの角ジョイント６のうち、一つは横ばり管４と動的な連結を、もう一つは横ばり管４と固定連結する。折り畳み式ホルダーの上折り畳み棒１１と下折り畳み棒１２とが剛性連結を形成することにより、伸縮式モジュールの内套管１７あるいは外套管１６の相対的な長さを調整し、底管を支持部として支持高さの調整可能であるホルダーが形成される。折り畳み式モジュールは、前記上折り畳み棒１１と下折り畳み棒１２の間にヒンジ接合されるヒンジブロック１５と、上折り畳み棒１１と下折り畳み棒１２とヒンジブロック１５との間に動的に被せられ、前記上折り畳み棒１１と下折り畳み棒１２とが剛性連結を形成できる滑りカバー１３とを備える。伸縮モジュールの上端部と固定連結する回転ジョイント２１と、トップフックジョイント７と固定連結するストッパ支持軸３７と、端バネ３８を更に備える前記折り畳み式ホルダーにおいて、端バネ３８で前記ストッパ支持軸３７と前記回転ジョイント２１とを動的に連結し、前記回転ジョイント２１が前記上折り畳み棒１１の上端部とヒンジ接合したり、トップフックジョイント７と同軸であったり、かつ、前記トップフックジョイント７に対して軸方向に沿って弾性的に移動することと軸を中心に周る方向に回転定位することが実現できる。
【００３２】
図３、図１２に示すように、Ｃ形溝を有する角ジョイント６は、口部分に突起３３があり、折り畳み式ホルダー２のトップフックジョイント７の外周と同軸である場合、角ジョイント６の突起３３がトップフックジョイント７と自動的に係合定位できる。この時、折り畳み式ホルダー２の底管９が上下に引くことができ、かつ、上折り畳み棒１１、下折り畳み棒１２、ヒンジブロック１５が同一線上になる状態まで、底管アダプター１０のヒンジ軸周りに回転できる。
【００３３】
図４、図５と図６に示すように、下折り畳み棒１２も被せる位置まで滑りカバー１３を下に押す場合、折り畳み式ホルダー２が底管９を底辺、同一線上状態の上折り畳み棒１１と下折り畳み棒１２を剛性辺、同軸の外套管１６と内套管１７を伸縮辺とする三角形を形成する。図９、図１９と図２０に示すように、内套管１７を押して、内套管エンドキャップ５２の定位鋼球１９を外套管１６の側壁上の定位穴２０に入れて、ロッキングボタン１４を押すと、外套管１６と内套管１７とをロッキングして、伸縮辺の辺長が確定できる。この時、折り畳み式ホルダー２は負荷に耐えられる安定した三角形を形成し、その調整できる伸縮辺の辺長がテーブルプレート１の高さを決定する。
【００３４】
図５に示すように、同様、２つの折り畳み式ホルダーは同じ対称的な安定した三角形を形成し、この時、横ばり管４の軸線周りに回転して対称的な同じ位置を形成する。
【００３５】
図６に示すように、横ばり管の両端部のノブ１８をしっかり締めると、テーブルプレート１が固定され、ノートパソコンや本等を支えることが可能である。
【００３６】
図７に示すように、場合によって、ノブ１８を緩めると、テーブルプレート１が横ばり管４の軸線の周りを回転して角度を調整できる。この図ではテーブルプレート１が水平状態になって、ノートパソコンだけでなく、食器を置くこともでき、ベッドで食事をすることも可能である。
【００３７】
図８に示すように、左右折り畳み式ホルダー２、３にある滑りカバー１３を上に移動して、下折り畳み棒１２が底管９と平行になる場合、折り畳み式ホルダー２、３がより小さな安定した三角形を形成して、テーブルプレート１の高さをさらに低くし、通常のデスクでノートパソコンを使用する際の快適な高さと角度にすることが可能である。
【００３８】
図９、１１に示すように、開口円孔２３があるトップフックジョイント７は、組み立てた場合、角ジョイント６の半円形軸８と係合ヒンジ接合する。開口円孔２４が横ばり管４の角ジョイント６の中の円柱２５と係合して、折り畳んだ状態において折り畳み式ホルダーをしっかり係合定位する目的を果たす
【００３９】
図１、１０に示すように、テーブルプレート１の左側にロッド照明灯３１を取り付け、また、テーブルプレート１の上には読書あるいは書く場合にページあるいは紙類を押さえるためのストップバネ２７、２９も設置する。テーブルプレート１の中部に放熱穴があり、裏面の対応する位置に放熱ファンを取り付ける。テーブルプレート１の側面にはＵＳＢインターフェイスおよびソケットが、裏面には電池箱３０がある。
【００４０】
図１１は角ジョイント６の断面図であり、２６は当該部品の横ばり管８字形断面の２つの溝と合う突起であり、その形状と弾性が折り畳み式ホルダー２、折り畳み式ホルダー３を同じ位置に定位する作用がある。突起２６は弾性を持たせるために、外部にＵ形隙間３４を形成して、折り畳み式ホルダー２、３が回転する過程で自動的に係合できる。２５は当該部品の内部にあり、折り畳んだ折り畳み式ホルダー２、３を定位係合する円柱である。８は横ばり管であり、折り畳み式ホルダー２、３のトップフックジョイント７の開口孔とヒンジ接合する半円形軸であり、その半円形断面はトップフックジョイントを係合し易くし、組み立て効率を向上したり、コストを引き下げたりすることが可能である。図の中の２つの孔の中心線Ｆ、Ｊが形成する角は９０度以上である。
【００４１】
図１２は横ばり管４の角ジョイント６の局部の断面図であり、３３は当該部品の下部の開口円孔の縁の突起であり、折り畳み式ホルダー２、３のトップフックジョイント７が角ジョイント６のヒンジ接合軸８周りに回転して、下部の開口円孔とほぼ同軸になる場合、自動的に締めてセンターを定めて、折り畳み式ホルダー２、３を外に広げた場合の位置の安定性と対称性を保つことができる。この図から突起２６とＵ形隙間３４の形状と作用がわかる。３５は横ばり管４とテーブルプレート１のノブ１８と合うロッキングナットである。
【００４２】
図１３に示すように、３７は折り畳み式ホルダー２、３にあり、トップフックジョイント７と外套管１６および回転ジョイント２１とを連結するストッパ支持軸で、３８は端バネである。端バネ３８があるため、トップフックジョイント７と回転ジョイント２１とが軸方向に弾性移動及び回転できる。図によって、ノブ１８をしっかり締める場合、テーブルプレート１と横ばり管４とを固定でき、ノブ１８を緩める場合、テーブルプレート１が横ばり管４周りに回転できることがわかる。折り畳み式ホルダー２あるいは３が左回りに回転すると、トップフックジョイント７が角ジョイント６の半円形軸８周りに回転して、その上の開口円孔２４が角ジョイント６の円柱２５と係合ロッキングできる。回転ジョイント２１とトップフックジョイント７とが同軸で、かつ、軸方向に弾性移動および回転することが可能である。
【００４３】
図１４は図９のＴ部分を拡大した図である。トップフックジョイント７の下端面にある突起４１は、回転ジョイント２１の上端面の２つの凹部４２と合い、およびバネ３８によって、回転ジョイント２１が回転した位置を制限できる。
【００４４】
図１５は図３のＫ部分を拡大した図である。図の中、４が横ばり管モジュールで、２１が回転ジョイントで、３６が横ばり管で、６が角ジョイントで、３９が回転ジョイント２１のバックルであり、折り畳み式ホルダーを畳む場合、底管９がバックル３９と係合固定する。
【００４５】
第二実施形態
【００４６】
図１６に示すように、本例では、折り畳み式ホルダー２、３がもう一つの実施形態を採用して、前記折り畳み式ホルダー２、３のトップフックジョイント７の代わりにトップフックジョイント４３を採用する。トップフックジョイント４３は外套管１６と直接固定連結し、回転ジョイント２１と、ストッパ支持軸３７と端バネ３８との連結構造を取り消す。図の中、４５はスパナで、その断面にある穴が角ジョイント６に設置する円柱４４と同軸連結し、折り畳み式ホルダー２、３を対称的に同調に制限するため、円柱４４にある同軸バネ４７はスパナ４５の左端の突起４８が横ばり管４の外周表面を押すモーメントを提供し、横ばり管４の開口部４６がスパナ４５の左端突起４８と合う位置まで回転する場合、左端突起４８が横ばり管４の開口部４６に係合して横ばり管４をロッキングする。折り畳む前にスパナ４５の右端を押して、左端の突起４８を横ばり管４の開口部４６からはずすと、折り畳み式ホルダー２、３が横ばり管４の軸に周りを回転でき、折り畳むことができる。
【００４７】
第三実施形態
【００４８】
図１７に示すように、本例は前記の２つの例の構造を簡略化したものである。本例では、放熱穴、ファンとＵＳＢインターフェイス２８、電池箱３０、ロッド照明灯３１を取り消し、折り畳み式ホルダー２、３はトップフックジョイント４３と角ジョイント６と合うので、折り畳み方法が変わって、一つのステップが減り、より簡単で、折り畳んだ後の高度がやや増す。
【００４９】
第四実施形態
【００５０】
図１８、１９は本例に採用される折り畳み方法の斜視図である。本例では、折り畳み式ホルダー２、３の間に１つの中間折り畳み棒４７を増加する。滑りカバー１３を下に引くと、ヒンジブロック１５と中間折り畳み棒４７と下折り畳み棒１２とを被せて、当該折り畳みモジュールも剛性辺になることが可能である。折り畳み式ホルダー２、３を広げた後のテーブルプレート１の高さがさらに変化できるようにするため、滑りカバー１３が中間折り畳み棒４７を被せられることを前提として、折り畳み棒４７の数を増やすことも可能である。図では外套管１６の側面の定位孔２０が見られる。
【００５１】
図２０に示すように、滑りカバー１３を下に引いて、ヒンジブロック１５と中間折り畳み棒４７とだけ被せて、下折り畳み棒１２と底管９を平行にした後、テーブルの高さを変化させることができる。図では定位鋼球１９の位置がよく見える。
【００５２】
図２１は横ばり管４の断面図であり、８字のような断面特徴が見られる。
【００５３】
第五実施形態
【００５４】
図２２は本例の側面図で、図２３は本例の斜視図である。
【００５５】
図２２〜図３１に示すように、本例ではマウス板モジュール５２と、ファン調節ノブ５３と、ファンスイッチ５４と、テーブルプレート１に固定されるハンドレスト５７と、テーブルプレートの側縁に設置されるＵＳＢインターフェイス５５と外接電源ソケット５６を付加する。マウス板モジュール５２は箱６０、連接棒８２、連接棒ロッキングハンドル８９、連接棒調節スライド８６、自在継ぎ手８０、ロッカーアーム６８、ロッカーアーム台７９とロッカーアームのロックノブ８１等を備える。
【００５６】
図２３、図２４、図２５、図２６、図２７、図２８、図２９と図３０に示すように、図４０も参照して、テーブルプレートの下の直線矢印の方向に沿って左右に滑らせられる滑り台５８に左右対称のページストッパ６１があり、滑り台５８のＴ形溝に係合するハンドレスト５７も直線矢印の方向に沿って左右に滑り抽出でき、テーブルプレート下の左端部に動的に連結するロッカーアーム６８が連結軸と中心に振れて、自在継ぎ手８０がロッカーアーム６８とマウス板モジュール５２と連結する。マウス板モジュール５２の箱６０の蓋は弧線矢印の方向にそって開いたり、閉じたりすることができ、辺縁にロッキングがある。マウス板モジュール５２の箱６０は、外付けハードディスク、ＵＳＢメモリ、データライン、緊急起動光ディスク、サインペン、クリーナー、香水などのような応急付属品と雑品を収納できる。
【００５７】
図２５に示すように、図ではマウス板モジュール５２の箱６０がテーブルプレートから展開し始めて、ハンドレスト５７を下に取り付ける投影とロッカーアーム６８の回転可能な弧線方向の矢印が見え、マウス板モジュール５２の箱６０の側面８７は、自在継ぎ手８０の右側面と平行になる場合、自在継ぎ手８０に制限されることにより、マウス板モジュール５２の箱６０の裏面がテーブルプレートの横向に対する水平状態を保つことができ、かつ、マウスを使用する時の動荷重に耐えることが可能である。
【００５８】
図２６に示すように、図ではマウス板モジュール５２の箱６０がテーブルプレート１とほぼ平行な位置にあり、弧線矢印の方向に沿ってＢＢ軸の周りを振れて前後に移動し続け、Ｚ部分が滑り台５８の局部を拡大する図がある。
【００５９】
図２７、図５５に示すように、マウス板モジュール５２の箱６０がＡＡ軸線の弧線矢印の方向に展開し、ロッカーアーム６８がＢＢ軸線の弧線矢印の方向に振れ、マウス板モジュール５２の箱６０が直線矢印の方向に前後移動し、角度を変え、左側面８７と自在継ぎ手８０の右側面と平行に接触する場合、マウス板モジュール５２の箱６０は制限され、下に展開し続けることができない。
【００６０】
図２８に示すように、照明モジュール７４がＬＥＤランプとマイクを備え、マイクをＬＥＤランプの末端に一体化する。ロッカーアーム６８はＢＢ軸線の周りを振れるので、マウス板モジュール５２とともに前後上下に動かせ、かつ、連接棒８２と連接棒ロッキングハンドル８９に制限される。
【００６１】
図２９に示すように、テーブルプレートの裏面にスピーカーモジュール６７、電池ケース６９、Ｈｕｂソケットボード部品等を設置する。
【００６２】
図３０に示すように、マウス板モジュール５２の箱６０はマウス作業面にドリンクホルダー６６を設けて、ハンドレスト５７を上に取り付け、使用者の腕を支えて、疲労を和らげることが可能である。
【００６３】
図３１に示すように、本例では使用していない状態でテーブルプレート１の裏面に折り畳み伸縮式ホルダー７０を付加し、滑り台５８の底部に支持する滑り止め用スペーサー６２がある。伸縮式ホルダー７０はカバーホルダー、側ホルダー、支持ブラケットを備える。
【００６４】
図３３、図４０、図４３に示すように、伸縮式ホルダー７０が折り畳んだ状態から展開し、側ホルダー６３が鋼線ホルダーを採用し、支持ブラケットがＴ形のホルダー５９を採用する。Ｔ形のホルダー５９は直線矢印の方向に沿ってカバーホルダー６５から引き出して回転することが可能で、側ホルダー６３に支えられて、伸縮式ホルダー７０が三角形の状態になり、Ｔ形のホルダー５９の両端と上部にある滑り止め用スペーサー７１、７３が滑り台５８の底部の滑り止め用スペーサー６２と６点で支持する滑り止め用スペーサー平面になり、当該平面は振れ、自動的にデスク等の使用条件に適応できる。
【００６５】
図３７に示すように、Ｔ形のホルダー５９の上端底部の滑り止め用スペーサー７３が滑り止め用スペーサー７１と三角形平面を構成し、図３３の中の弧線矢印の方向に動き、自動的に２つの底部弾性マット６２と支持面を構成し、テーブルプレートを安定させ支持するホルダーを形成する。照明モジュール７４は伸縮式ホルダー７０を開いた後のＴ形のホルダー５９を避け、テーブルプレート底部に位置する。ロッカーアームのロックノブ８１は、ロッカーアーム台７９と軸方向に連結し、ねじでロッカーアーム６８のＢＢ軸線に対して直径方向に振れるのをロッキングして制限することが可能である。連接棒調節スライド８６は水平方向にテーブルプレート１の右辺の溝形断面と滑り合って、前後に移動すると、マウス板モジュール５２とテーブルプレート１との角度を変えることが可能である。
【００６６】
図３２に示すように、ノートパソコン７５をテーブルに置く。Ｔ形のホルダー５９とカバーホルダー６５のもう１つの支持方法として、テーブルプレートの支持高さを変えることも可能である。照明モジュール７４はテーブルプレートの底部からほぼ垂直の位置に回転するのに、占める面積はより小さく、異なる環境に適応することが可能である。
【００６７】
図３４に示すように、Ｔ形のホルダー５９の底部の細部が見え、固定台９８はテーブルプレート１の裏面に固定され、かつ、カバーホルダー６５とヒンジ接合し、図４５を参照すると、カバーホルダー６５のヒンジ接合する端部の非円形体１１３が固定台９８と接触するので、伸縮式ホルダー７０モジュールを展開する時、弾性定位と助力の機能があり、１１４が弾性スペーサーで、伸縮式ホルダー７０モジュールが極限の位置まで展開する時、テーブルプレートの上部の折湾辺１１５に凭れて定位し、展開角度を制限する。図では、マウス板モジュール５２はテーブルプレート１と非平行の状態である。図５４を参照すると、連接棒８２はマウス板モジュール５２の角度を制御し、図の中の外付けハードディスクケースを隠す弧線方向の角度を制限する。
【００６８】
図３６に示すように、ノートパソコン７５をテーブルに置く。Ｔ形のホルダー５９はカバーホルダー６５から完全的に引き出さず、被せる面積とピン９９の制限で平行を保つので、最大高度のＴ状態を構成して、さらにテーブルプレートの支持高度を変え、図４２に示すように、この時Ｔ形のホルダー５９の上端部は依然カバーホルダー６５に被せられ、ロッキング７８の下部のストッパ９１がＴ形のホルダー５９のストッパ溝１０３で係合され、かつ、高度を調節できる。照明モジュール７４はテーブルプレートの表面の左側に回転され、ファンスイッチ５６とファン調節ノブ５６とＵＳＢインターフェイス５５と外接電源ソケット５６と一緒に使用者の左手側にあるので、操作が便利である。
【００６９】
図３７、図５５に示すように、Ｔ形のホルダー５９を引き出し、支えスペーサー７１が半円形であるため、Ｔ形のホルダーとデスクプレートとが調整できる範囲に接触でき、スリップしない。スピーカーモジュール６７が展開して伸び出し、ロッカーアームのロックノブ８１が軸方向に圧迫するので、ロッカーアーム６８とロッカーアーム台７９との回転角度を固定でき、ロッカーアーム６８の回転角度を制限する。この場合、マウス板モジュール５２はＣＣ軸の周りだけを振れて、テーブルプレートとの前後方向の角度を変える。
【００７０】
図３９、図５３と図５４に示すように、Ｔ形のホルダー５９を引き出す場合、Ｔ形底部に隠される２つのカニ爪７６が外に広がり、さらにＴ形のホルダー５９を支持する全体の高度を増し、テーブルプレート、つまりノートパソコンとデスクプレートとの傾斜角度を変える。マウス板モジュール５２はＣＣ軸周りに振れ、連接棒８２がマウス板モジュール５２とテーブルプレートの前後方向との角度の変化を制限し、連接棒８２の上端である連接棒調節スライド８６のテーブルプレート１の側面に設ける凹形ガイドトラック８５内の位置およびロッカーアーム６８がテーブルプレートに対しての回転角度を変えると、マウス板モジュール５２がテーブルプレートに対してさまざまな角度と前後位置にできる。連接棒調節スライド８６にある連接棒ロッキングハンドル８９が連接棒調節スライド８６の滑る位置を固定できる。
【００７１】
図３９は斜視図で、Ｔ形のホルダーのカニ爪７６の底部にも滑り止め用スペーサーを設け、自身の電池箱８７の電池箱の蓋７７を開くと、中に３〜４個の４．５〜６Ｖの電池を入れられ、Ｈｕｂソケットボードを収納する。ＨｕｂソケットボードにＵＳＢインターフェイス５５、外接電源ソケット５６、ファン調節ノブ５３が連結される。
【００７２】
図４０は、図２６のＺ局部を拡大した斜視図であり、滑り台５８のＤＤ軸に左右対称のページストッパ６１をヒンジ接合し、ＤＤ軸の周りを回転でき、ページストッパ６１が単方向に位置を回復するため、ヒンジ接合軸にバネを取り付けることができる。また、ハンドレスト５７が滑り台５８の下部のＴ形溝に取り付けられる。
【００７３】
図４１、図５０、図５１、図５２に示すように、ページストッパ６１がＤＤ軸の周りを回転することおよび滑り台５８が直線矢印方向に沿って左右に移動することによって、ページを押える位置を調整できる。
【００７４】
図５６、図５７に示すように、マイク８８が照明灯の末端に一体化し、カメラ８４がスピーカーの中部の上部に取り付けられ、スピーカー中部の下部に使用者の後部を観察するための凸面鏡７２があり、スピーカーモジュール６７は３つの自由度があるので、前後に展開してテーブルプレート１の裏に隠すことが可能である。スピーカーの裏面に平面鏡があり、スピーカーのコーンの位置に凹面鏡を取り付けることも可能である。
【００７５】
図４２は、伸縮式ホルダー７０の断面図である。Ｔ形のホルダー５９に設置する凹部９５が側ホルダー６３と合い、伸縮式ホルダー７０が低位に支持する時に使用され、側ホルダー６３が回転軸９３を通してカバーホルダー６５に掛けられる。Ｔ形のホルダー５９の開口溝９９と滑り合うピン９６でＴ形のホルダー５９とカバーホルダー６５とが動的に連結する。Ｔ形のホルダーを上下に引く場合、カバーホルダー６５にあるロッキング７８の下部のストッパ９１とＴ形のホルダー５９に上から下まで設置する一列のストッパ溝１０３とが合い、引き出したＴ形のホルダー５９を定位し、ロッキング７８を押すと、ストッパ９１が上になり、Ｔ形のホルダー５９が上下に滑り、ロッキング７８を外すと、Ｔ形のホルダー５９が係合される。Ｔ形のホルダー５９を下まで引くと、Ｔ形のホルダー５９の上部がカバーホルダー６５の下部の開口部にあり、ピン９６だけで拘束されるので、回転でき、かつ、ピン９６の周りを回転できる。側面から見るとＴ形あるいは三角形の組合状態になって、テーブルプレート１を支持する高度と角度を変える。図では、カバーホルダー６５が回転軸９４で伸縮式ホルダー７０の固定台座９８と連結する。カバーホルダー６５と固定台座９８とのヒンジ接合部の端部が非円形の突起であり、固定台座９８との締り嵌めによって、カバーホルダーを弾性定位することができる。図４６に示すように、固定台座９８のラッチフックロッキング９７が伸縮式ホルダー７０の開口部１００と締まり嵌めをして、折り畳んだ伸縮式ホルダー７０を定位する。
【００７６】
図４３、図４４、図４５、図４６は、伸縮式ホルダー７０の各種の状態を示す。側ホルダー６３がＴ形のホルダー５９の凹部９５と係合し、広げた伸縮式ホルダー７０がテーブルプレートの辺１１５とくっついている場合、カバーホルダー６５の上部の弾性スペーサー１０４が伸縮式ホルダー７０を定位できる。図４７、図４８、図４９は、スピーカー、照明灯等を広げた状態の斜視図である。
【００７７】
第六実施形態
【００７８】
図５８、図５９、図６０は、本実施形態の折り畳み式ホルダーと角ジョイントとの連結構造の見取り図で、図５９は図５８のＲ部分を拡大図である。第一実施形態と異なり、本例では角ジョイント、回転ジョイントとトップフックジョイントの構造を多少改良する。本例では、回転ジョイント１１１の上端部にある矩形突起１１３が角ジョイント１１２にある矩形開口部と合い、回転する場合、先導定位するトップフックジョイント７の下端面にある突起が左右折り畳み式ホルダーを広げる時に弾性ガイドをして、矩形突起１１３が角ジョイント１１２の矩形開口部に入るので、折り畳み式ホルダーの底管９をしっかり定位できる。
【００７９】
以上の内容は具体的な最良の実施形態を参照して、本発明を詳細に説明するが、ただし実施形態は本発明の例示にすぎず、本発明はこれに限定されない。特許請求の範囲に記載された発明の範囲内で、種々の変更が可能であり、それらも本発明の範囲内に包含されるものであることは言うまでもない。
【図１】
2010524100.tif 000003
【図２】
2010524100.tif 000004
【図３】
2010524100.tif 000005
【図４】
2010524100.tif 000006
【図５】
2010524100.tif 000007
【図６】
2010524100.tif 000008
【図７】
2010524100.tif 000009
【図８】
2010524100.tif 000010
【図９】
2010524100.tif 000011
【図１０】
2010524100.tif 000012
【図１１】
2010524100.tif 000013
【図１２】
2010524100.tif 000014
【図１３】
2010524100.tif 000015
【図１４】
2010524100.tif 000016
【図１５】
2010524100.tif 000017
【図１６】
2010524100.tif 000018
【図１７】
2010524100.tif 000019
【図１８】
2010524100.tif 000020
【図１９】
2010524100.tif 000021
【図２０】
2010524100.tif 000022
【図２１】
2010524100.tif 000023
【図２２】
2010524100.tif 000024
【図２３】
2010524100.tif 000025
【図２４】
2010524100.tif 000026
【図２５】
2010524100.tif 000027
【図２６】
2010524100.tif 000028
【図２７】
2010524100.tif 000029
【図２８】
2010524100.tif 000030
【図２９】
2010524100.tif 000031
【図３０】
2010524100.tif 000032
【図３１】
2010524100.tif 000033
【図３２】
2010524100.tif 000034
【図３３】
2010524100.tif 000035
【図３４】
2010524100.tif 000036
【図３５】
2010524100.tif 000037
【図３６】
2010524100.tif 000038
【図３７】
2010524100.tif 000039
【図３８】
2010524100.tif 000040
【図３９】
2010524100.tif 000041
【図４０】
2010524100.tif 000042
【図４１】
2010524100.tif 000043
【図４２】
2010524100.tif 000044
【図４３】
2010524100.tif 000045
【図４４】
2010524100.tif 000046
【図４５】
2010524100.tif 000047
【図４６】
2010524100.tif 000048
【図４７】
2010524100.tif 000049
【図４８】
2010524100.tif 000050
【図４９】
2010524100.tif 000051
【図５０】
2010524100.tif 000052
【図５１】
2010524100.tif 000053
【図５２】
2010524100.tif 000054
【図５３】
2010524100.tif 000055
【図５４】
2010524100.tif 000056
【図５５】
2010524100.tif 000057
【図５６】
2010524100.tif 000058
【図５７】
2010524100.tif 000059
【図５８】
2010524100.tif 000060
【図５９】
2010524100.tif 000061
【図６０】
2010524100.tif 000062
【国際調査報告】
2010524100.tif 000063
2010524100.tif 000064
2010524100.tif 000065
2010524100.tif 000066
2010524100.tif 000067
2010524100.tif 000068